(57)【要約】【課題】装飾品や貴金属等を載置して展示する載置台において、あるいは絵画や書等を載置して展示する載置壁において、装飾品や貴金属等あるいは絵画や書等を地震等の災害発生時あるいは盗難等から安全に保護する載置台あるいは載置壁を提供する。【解決手段】上記載置台は、受信機１３が緊急地震速報情報或は緊急警報情報等を受信したとき、または検知器１４が可動板１１を覆うカバー等の衝撃又は破損あるいは接近する人体等を検知したときに警報器１６を作動して警報を発するとともに、可動板１１を可動してそこに載置された装飾品等を収納箱１２に収納するように構成した。【選択図】図１
2011110395.tif 000002
【特許請求の範囲】
【請求項１】
装飾品等を載置する可動板と、災害情報センター等から配信された緊急地震速報情報或は緊急警報情報等を受信する受信機と、前記可動板の下部に配設された収納箱と、前記可動板を可動する可動装置とから成り、前記受信機が前記緊急地震速報情報或は緊急警報情報等を受信したときに前記可動板を可動して該可動板に載置された装飾品等を前記収納箱に収納するように構成したことを特徴とする載置台。
【請求項２】
装飾品等を載置する可動板と、該可動板、つまり上記載置台を覆う透明ガラス製等のカバー等の衝撃又は破損あるいは該可動板に接近する人体等を検知する検知器と、警報を発する警報器と、前記可動板の下部に配設された収納箱と、前記可動板を可動する可動装置とから成り、前記検知器が前記衝撃又は破損あるいは人体等を検知したときに前記警報器を作動して警報を発するとともに、前記可動板を可動して該可動板に載置された装飾品等を前記収納箱に収納するように構成したことを特徴とする載置台。
【請求項３】
装飾品等を載置する可動板と、災害情報センター等から配信された緊急地震速報情報或は緊急警報情報等を受信する受信機と、前記可動板を覆う透明ガラス製等のカバー等の衝撃又は破損あるいは該可動板に接近する人体等を検知する検知器と、警報を発する警報器と、前記可動板の下部に配設された収納箱と、前記可動板を可動する可動装置とから成り、前記受信機が前記緊急地震速報情報或は緊急警報情報等を受信したとき、または前記検知器が前記衝撃又は破損あるいは人体等を検知したときに前記警報器を作動して警報を発するとともに、前記可動板を可動して該可動板に載置された装飾品等を前記収納箱に収納するように構成したことを特徴とする載置台。
【請求項４】
上記可動板の可動に連動して作動して上記収納箱をロックするロック機構を設けて、上記装飾品等を上記収納箱に収納するのに併せて該収納箱をロックするように構成したことを特徴とする請求項１及び請求項２又は請求項３に記載の載置台。
【請求項５】
絵画或は書等を載置する可動板と、災害情報センター等から配信された緊急地震速報情報或は緊急警報情報等を受信する受信機と、前記可動板の内側に配設された収納箱と、前記可動板を可動する可動装置とから成り、前記受信機が前記緊急地震速報情報或は緊急警報情報等を受信したときに前記可動板を可動して該可動板に載置された絵画或は書等を前記収納箱に収納するように構成したことを特徴とする載置壁。
【請求項６】
絵画或は書等を載置する可動板と、該可動板、つまり上記載置壁に載置された絵画或は書等の傾斜或は振動又は衝撃、あるいは該可動板の衝撃、あるいは該可動板に接近する人体等を検知する検知器と、警報を発する警報器と、前記可動板の内側に配設された収納箱と、前記可動板を可動する可動装置とから成り、前記検知器が前記傾斜或は振動又は衝撃あるいは人体等を検知したときに前記警報器を作動して警報を発するとともに、前記可動板を可動して該可動板に載置された絵画或は書等を前記収納箱に収納するように構成したことを特徴とする載置壁。
【請求項７】
絵画或は書等を載置する可動板と、災害情報センター等から配信された緊急地震速報情報或は緊急警報情報等を受信する受信機と、前記可動板に載置された絵画或は書等の傾斜或は振動又は衝撃、あるいは該可動板の衝撃、あるいは該可動板に接近する人体等を検知する検知器と、警報を発する警報器と、前記可動板の内側に配設された収納箱と、前記可動板を可動する可動装置とから成り、前記受信機が前記緊急地震速報情報或は緊急警報情報等を受信したとき、または前記検知器が前記傾斜或は振動又は衝撃あるいは人体等を検知したときに前記警報器を作動して警報を発するとともに、前記可動板を可動して該可動板に載置された絵画或は書等を前記収納箱に収納するように構成したことを特徴とする載置壁。
【請求項８】
上記可動板の可動に連動して作動して上記収納箱をロックするロック機構を設けて、上記絵画或は書等を上記収納箱に収納するのに併せて該収納箱をロックするように構成したことを特徴とする請求項５及び請求項６又は請求項７に記載の載置壁。
【発明の詳細な説明】
【技術分野】
【０００１】  本発明は、高価な陶磁器、ガラス工芸品のような装飾品、それに貴金属や腕時計、さらには絵画或は書等を応接室に飾ったり、店舗や展示会場に陳列しあるいは展示する場合や、仏像等の貴重な文化財等を安置する場合に用いて好適な装飾品等を防護する載置台及び載置壁に関する。
【背景技術】
【０００２】  従来の、上記載置台には、頂板及び中間板を包含する垂直方向緩衝部と、前記中間板及び底板を包含する水平方向緩衝部を有し、前記垂直方向緩衝部は、ねじり方向が互いに逆の一対のねじりばね部を有し、軸線と直交する方向で緩衝するねじりばねを備え、前記水平方向緩衝部は、前記中間板及び前記底板を相対的に水平方向に摺動させる水平方向摺動機構と、前記中間板及び前記底板を互いに引き寄せるように付勢する引っ張りばねとを備えて構成することにより、当該頂板上に載置された装飾品等の震動による転倒、落下、損傷等を防止できるようにしたものがある（特許文献１参照。）。【０００３】  また、支持台頂板に設けられた二枚一対のシャッター板を震動感知機に連動したシャッター板の駆動装置によって作動開成し、当該シャッター板上に載置された装飾品等を、介在させた布地等でくるんだ状態で支持台下方に開口して装着、吊持された緩衝性能を有する受け袋内に落下、収納させるように構成することにより、当該シャッター板上に載置された装飾品等を迅速、安全かつ確実に保護して、装飾品等の震動による転倒、落下、損傷等を有効に防止できるようにしたものがある（特許文献２参照。）。
【先行技術文献】
【特許文献】
【０００４】
【特許文献１】  特許３２２２０８２号  公報
【特許文献２】  特許３４５８０８９号  公報
【発明の概要】
【発明が解決しようとする課題】
【０００５】  以上に述べた従来の装飾品等を防護する載置台では、上下、水平二方向の震動を吸収する構成であるから、縦揺れ、横揺れの外に、複雑な揺れを伴う震動に対しては対応することができないために前記載置台に載置された装飾品等を複雑な揺れ、さらには大地震等で前記載置台が設けられた建物等施設が一気に崩壊するなどの場合に守ることができないうえに、前記載置台を覆う透明ガラス製のカバー等が衝撃又は破損や破損等を受けたときあるいは火災発生時等に対する対策が取られていないために、前記装飾品等を盗難あるいは火災等から守ることができないものであった（特許文献１。）。【０００６】  また、震動を感知して、前記装飾品等を介在させた布地等でくるんだ状態で支持台下方に開口して装着し収納させる構成であるから、震動が感知されなければ作動しないために、前記可動板が設けられた建物等施設が一気に崩壊する等の大地震に見舞われた場合、前記載置台に載置された装飾品等の収納が遅れて当該装飾品等を十分に保護することができない恐れがあるうえに、前記載置台を覆う透明ガラス製のカバー等が衝撃又は破損や破損等を受けたときあるいは火災発生時等に対する対策が取られていないために、前記装飾品等を盗難あるいは火災等から守ることができないものであった（特許文献２。）。【０００７】  また、上記特許文献１及び２のものは載置台等に載置された絵画或は書等を地震や盗難あるいは火災等から守ることが十分できないうえに、従来から、前記絵画或は書等を該絵画或は書等が載置された壁面の内側へ収納して当該絵画或は書等を地震あるいは盗難や火災等から安全に守ることを目的としたものはなかった。【０００８】  本発明は、このような従来の構成が有していた、また従来からの課題を解決しようとするものであり、装飾品等を載置する載置台に載置された装飾品等の地震等による振動からの保護をより十分なものにし、さらには前記装飾品等を盗難や火災等から安全に守る目的においても活用されるのを、また、壁面等に載置された絵画或は書等を地震又は盗難や火災等から安全に守るのを実現することを目的とするものである。
【課題を解決するための手段】
【０００９】  そして、本発明は上記目的を達成するために装飾品等を載置する可動板と、災害情報センター等から配信された緊急地震速報情報或は緊急警報情報等を受信する受信機と、前記可動板の下部に配設された収納箱と、前記可動板を可動する可動装置とから成り、前記受信機が前記緊急地震速報情報或は緊急警報情報等を受信したときに前記可動板を可動して該可動板に載置された装飾品等を前記収納箱に収納するように構成したものである。【００１０】  また、第２の課題解決手段は、装飾品等を載置する可動板と、該可動板、つまり上記載置台を覆う透明ガラス製等のカバー等の衝撃又は破損あるいは該可動板に接近する人体等を検知する検知器と、警報を発する警報器と、前記可動板の下部に配設された収納箱と、前記可動板を可動する可動装置とから成り、前記検知器が前記衝撃又は破損あるいは人体等を検知したときに前記警報器を作動して警報を発するとともに、前記可動板を可動して該可動板に載置された装飾品等を前記収納箱に収納するように構成したものである。【００１１】  また、第３の課題解決手段は、装飾品等を載置する可動板と、災害情報センター等から配信された緊急地震速報情報或は緊急警報情報等を受信する受信機と、前記可動板を覆う透明ガラス製等のカバー等の衝撃又は破損あるいは該可動板に接近する人体等を検知する検知器と、警報を発する警報器と、前記可動板の下部に配設された収納箱と、前記可動板を可動する可動装置とから成り、前記受信機が前記緊急地震速報情報或は緊急警報情報等を受信したとき、または前記検知器が前記衝撃又は破損あるいは人体等を検知したときに前記警報器を作動して警報を発するとともに、前記可動板を可動して該可動板に載置された装飾品等を前記収納箱に収納するように構成したものである。【００１２】  また、第４の課題解決手段は、上記可動板の可動に連動して作動して上記収納箱をロックするロック機構を設けて、上記装飾品等を上記収納箱に収納するのに併せて該収納箱をロックするように構成したものである。【００１３】  また、第５の課題解決手段は、絵画或は書等を載置する可動板と、災害情報センター等から配信された緊急地震速報情報或は緊急警報情報等を受信する受信機と、前記可動板の内側に配設された収納箱と、前記可動板を可動する可動装置とから成り、前記受信機が前記緊急地震速報情報或は緊急警報情報等を受信したときに前記可動板を可動して該可動板に載置された絵画或は書等を前記収納箱に収納するように構成したものである。【００１４】  また、第６の課題解決手段は、絵画或は書等を載置する可動板と、該可動板、つまり上記載置壁に載置された絵画或は書等の傾斜或は振動又は衝撃、あるいは該可動板の衝撃、あるいは該可動板に接近する人体等を検知する検知器と、警報を発する警報器と、前記可動板の内側に配設された収納箱と、前記可動板を可動する可動装置とから成り、前記検知器が前記傾斜或は振動又は衝撃あるいは人体等を検知したときに前記警報器を作動して警報を発するとともに、前記可動板を可動して該可動板に載置された絵画或は書等を前記収納箱に収納するように構成したものである。【００１５】  また、第７の課題解決手段は、絵画或は書等を載置する���動板と、災害情報センター等から配信された緊急地震速報情報或は緊急警報情報等を受信する受信機と、前記可動板に載置された絵画或は書等の傾斜或は振動又は衝撃、あるいは該可動板の衝撃、あるいは該可動板に接近する人体等を検知する検知器と、警報を発する警報器と、前記可動板の内側に配設された収納箱と、前記可動板を可動する可動装置とから成り、前記受信機が前記緊急地震速報情報或は緊急警報情報等を受信したとき、または前記検知器が前記傾斜或は振動又は衝撃あるいは人体等を検知したときに前記警報器を作動して警報を発するとともに、前記可動板を可動して該可動板に載置された絵画或は書等を前記収納箱に収納するように構成したものである。【００１６】  また、第８の課題解決手段は、上記可動板の可動に連動して作動して上記収納箱をロックするロック機構を設けて、上記絵画或は書等を上記収納箱に収納するのに併せて該収納箱をロックするように構成したものである。【００１７】  上記第１の課題解決手段による作用は次の通りである。すなわち、上記載置台は、災害情報センター等から配信された緊急地震速報情報或は緊急警報情報等を受信したときに前記可動板に載置された装飾品等を該可動板の下部に配設された収納箱に収納することができるため、前記装飾品等の該収納箱への収納を地震等の災害発生前にすることができる。また、これによって大地震等で前記可動板が設置された建物等施設が一気に崩壊する等の場合であっても、それ以前に、前記装飾品等を前記収納箱に収納することができるようになり、地震等の災害から前記可動板、つまり上記載置台に載置された装飾品等をより十分に保護することができる。【００１８】  また、第２の課題解決手段による作用は、装飾品等を載置する可動板を覆う透明ガラス製等のカバー等の衝撃又は破損あるいは該可動板に接近する人体等を検知したときに、警報を発するとともに、前記可動板に載置された装飾品等を該可動板の下部に配設された収納箱に収納することができるため、前記装飾品等の該収納箱への収納を前記カバー等の破損前又は破損直後に、あるいは該可動板への人体の接近時等にすることができる。また、これによって前記装飾品等が盗難に会う前に前記装飾品等を前記収納箱に収納することができるようになり、従来よくある前記カバー等の破損等の後にされる前記装飾品等の盗難等を防止することができる。【００１９】  また、第３の課題解決手段による作用は、災害情報センター等から配信された緊急地震速報情報或は緊急警報情報等を受信したとき、または装飾品等を載置する可動板を覆う透明ガラス製等のカバー等の衝撃又は破損あるいは該可動板に接近する人体等を検知したときに、警報を発するとともに、前記可動板に載置された装飾品等を該可動板の下部に配設された収納箱に収納することができるため、前記装飾品等の該収納箱への収納を地震等の災害発生前に、または前記カバー等の破損前又は破損直後に、あるいは前記可動板への人体の接近時等にすることができる。また、これによって大地震等で前記可動板が設置された建物等施設が一気に崩壊する等の場合であっても、それ以前に、または前記装飾品等が盗難に会う前に該装飾品等を前記収納箱に収納することができるように��り、地震等の災害から前記可動板に載置された装飾品等をより十分に保護することができ、あるいは従来よくある前記カバー等の破損等の後にされる前記装飾品等の盗難等を防止することができる。【００２０】  また、第４の課題解決手段による作用は、上記可動板の可動に連動して上記収納箱をロックすることができるため、上記装飾品等の上記収納箱への収納をより強固なものにすることができる。また、これによって、上記装飾品等の保護、あるいは上記装飾品等の盗難等の防止等をより強固にする。【００２１】  さらに、上記第５の課題解決手段による作用は次の通りである。すなわち、上記可動板は、災害情報センター等から配信された緊急地震速報情報或は緊急警報情報等を受信したときに前記可動板に載置された絵画或は書等を該可動板の内側に配設された収納箱に収納することができるため、前記絵画或は書等の前記収納箱への収納を地震等の災害発生前にすることができる。また、これによって大地震等で前記可動板が設置された建物等施設が一気に崩壊する等の場合であっても、それ以前に、前記絵画或は書等を前記収納箱に収納することができるようになり、地震等の災害から前記可動板、つまり上記載置壁に載置された絵画或は書等をより十分に保護することができる。【００２２】  また、第６の課題解決手段による作用は、絵画或は書等を載置する可動板に載置された絵画或は書等の傾斜或は振動又は衝撃あるいは該可動板に接近する人体等を検知したときに、警報を発するとともに、前記可動板に載置された絵画或は書等を該可動板の内側に配設された収納箱に収納することができるため、前記絵画或は書等の前記収納箱への収納を該絵画或は書等が前記可動板から外される前にすることができる。また、これによって前記絵画或は書等を前記可動板から外されるなどして盗難に会う前に前記収納箱に収納することができるようになり、前記絵画或は書等の盗難等を防止することができる。【００２３】  また、第７の課題解決手段による作用は、災害情報センター等から配信された緊急地震速報情報或は緊急警報情報等を受信したとき、または絵画或は書等を載置する可動板に載置された絵画或は書等の傾斜或は振動又は衝撃等、あるいは該可動板の衝撃、あるいは該可動板に接近する人体等を検知したときに、警報を発するとともに、前記可動板に載置された絵画或は書等を該可動板の内側に配設された収納箱に収納することができるため、前記絵画或は書等の該収納箱への収納を地震等の災害発生前に、または前記絵画或は書等が前記可動板から外される前にすることができる。また、これによって大地震等で前記可動板が設置された建物等施設が一気に崩壊する等の場合であっても、それ以前に、または前記絵画或は書等が盗難に会う前に該絵画或は書等を前記収納箱に収納することができるようになり、地震等の災害から前記可動板に載置された絵画或は書等をより十分に保護することができ、あるいは前記絵画或は書等が前記可動板から外されるなどしてされる前記絵画或は書等の盗難等を防止することができる。【００２４】  また、第８の課題解決手段による作用は、上記可動板の可動に連動して上記収納箱をロックすることができるため、上記絵画或は書等の上記収納箱への収納���より強固なものにすることができる。また、これによって、上記絵画或は書等の保護、あるいは上記絵画或は書等の盗難等の防止等をより強固にする。
【発明の効果】
【００２５】  上述したように本発明の載置台は、該載置台を構成する可動板に載置された装飾品等を地震等の災害発生前に該可動板の下部に配設された収納箱へ収納することができるため、該装飾品等を、地震等の災害からより十分に保護することができ、従来からの載置台よりさらに十分に地震等の災害から保護する載置台を提供できる。【００２６】  また、前記可動板に載置された装飾品等を該可動板を覆うカバー等の破損前又は破損直後に、あるいは該可動板への人体の接近時等に該可動板の下部に配設された収納箱へ収納することができるため、該装飾品等を、盗難から守ることができ、従来からの載置台より十分に盗難から防止する載置台を提供できる。【００２７】  また、前記可動板に載置された装飾品等を地震等の災害発生前に、または該可動板を覆うカバー等の破損前又は破損直後に、あるいは該可動板への人体の接近時等に該可動板の下部に配設された収納箱へ収納することができるため、該装飾品等を、地震等の災害からより十分に保護し、または盗難から守ることができ、従来からの載置台よりさらに十分に地震等の災害から保護し、または盗難から防止するなどを兼ね備えた載置台を提供できる。【００２８】  また、前記可動板に載置された装飾品等の該可動板の下部に配設された収納箱へ収納に併せて、該収納箱をロックすることができるため、前記装飾品等の地震等の災害からの保護、または盗難からの防止などをより強固にするという効果を発揮するものである。【００２９】  さらに、上述したように本発明の載置壁は、該載置壁を構成する可動板に載置された絵画或は書等を地震等の災害発生前に該可動板の内側に配設された収納箱へ収納することができるため、該装飾品等を、地震等の災害からより十分に保護することができ、従来からの載置壁より十分に地震等の災害から保護する載置壁を提供できる。【００３０】  また、前記可動板に載置された絵画或は書等が傾斜或は振動又は衝撃等を受けた時、あるいは該可動板への人体の接近時等に該可動板の内側に配設された収納箱へ収納することができるため、該装飾品等を、盗難から守ることができ、従来からの載置壁より十分に盗難から防止する載置壁を提供できる。【００３１】  また、前記可動板に載置された装飾品等を地震等の災害発生前に、または前記絵画或は書等が傾斜或は振動又は衝撃等を受けた時、あるいは該可動板への人体の接近時等に該可動板の下部に配設された収納箱へ収納することができるため、該絵画或は書等を、地震等の災害からより十分に保護し、または盗難から守ることができ、従来からの載置壁よりさらに十分に地震等の災害から保護し、または盗難から防止するなどを兼ね備えた載置壁を提供できる。【００３２】  また、前記可動板に載置された絵画或は書等の該可動板の内側に配設された収納箱へ収納に併せて、該収納箱をロックすることができるため、前記絵画或は書等の地震等の災害からの保護、または盗難からの防止などをより強固にするという効果を発揮するものである。
【図面の簡単な説明】
【００３３】
【図１】この発明の一実施形態である載置台の構成を示す概略ブロック図である。
【図２】この発明の他の実施形態である載置壁の構成を示す概略ブロック図である。
【発明を実施するための形態】
【００３４】  以下、本発明の実施形態を図に基づいて説明する。
【００３５】  図１において、載置台１は、可動板１１、収納箱１２、受信機１３、検知器１４、制御装置１５、それに警報器１６等で構成されている。
【００３６】  可動板１１は、陶磁器、ガラス工芸品のような装飾品、それに貴金属や腕時計等（以下、これを装飾品等という）を載置する台で、制御装置１５による制御を受けて作動し可動するようになっている。
【００３７】  収納箱１２は、可動板１１の下部に配設されていて、可動板１１の可動によってその上部に載置された装飾品等を収納するものである。
なお、収納箱１２は、強固であるとともに耐震性或は免震性、耐火性、さらには耐水性等が十分であることが望ましい。
【００３８】  なお、可動板１１を可動してする可動板１１の上部に載置された装飾品等の収納箱１２への収納は、上記特許文献２で採用された「支持台頂板に設けられた２枚一対のシャッター板を駆動装置によって作動開始し、当該シャッター板上に載置された装飾品等を、介在させた布地等でくるんだ状態で支持台下方に開口して装着、吊特された緩衝性能を有する受け袋内に落下、収納させる」と同様の方法を用いて、可動板１１には２枚一対のシャッター板を用いて、さらに収納箱１２には介在させた布地等でくるんだ状態で可動板１１下部（下方）に開口して装着、吊特された緩衝性能を有する受け袋内を装着して、前記シャッター板を制御装置１５によって可動（作動）開始し、当該シャッター板上、つまり可動板１１の上部に載置された装飾品等を収納箱１２に装着された前記受け袋に落下、収納させる方式のものであってもよい。また、可動板１１を素早く収納箱１２の中へスライドさせて可動板１１とともに前記装飾品等を収納箱１２に収納して、さらに収納箱１２の上部を強固な板状のもので塞ぐようにすなどでもよく、可動板１１を可動して収納箱１２の中へする前記装飾品等の収納の方法等をとくに限定しない。
【００３９】  受信機１３は、災害情報センター等から配信された緊急地震速報情報或は洪水や火災発生等の緊急警報情報等を受信して、これらの情報を受信したことを示す受信信号を制御装置１５へ送出する。
なお、受信機１３は、放送局から配信された緊急地震速情報を受信するラジオ受信機あるいは火災警報器等であってもよく、さらには例えば展示ビル等を監視し管理する展示ビル等管理室あるいは載置台１が配設された部屋の天井又は出入口等のように載置台１から離れた位置に配設し、そこから前記受信信号を制御装置１５へ伝送するようにしてもよい。
【００４０】  検知器１４は、可動板１１、つまり載置台１を覆う透明ガラス製等のカバー等の衝撃又は破損、あるいは可動板１１、つまり載置台１に接近する人体等を検知して、これらを検知したことを示す検知信号を制御装置１５へ送出する。
なお、検知器１４は、夜間にのみ作動するようにし、さらには前記人体の検知を検知器１４とは分離して、これを例えば載置台１が配設された部屋の天井又は出入口等のように載置台１から離れた位置に配設し、そこから前記検知信号を制御装置１５へ伝送するようにしてもよい。
【００４１】  制御装置１５は、受信機１３からの前記受信信号又は検知器１４からの前記検知信号を受けたとき、警報器１６へ警報器１６において警報を発するための警報信号を送出するとともに、可動板１１へ可動板１１を可動するための可動制御信号を送出する。
【００４２】  警報器１６は、制御装置１５からの警報信号を受けて作動して、警報を発する。
なお、該警報の発生は、ブザーを用いたブザー音の他に、各種の電子音あるいは音声などであってもよく、特に限定しない。また、警報器１６は受信機１３及び検知器１４など同様に、載置台１から離れた位置に配設して、制御装置１５からの警報信号を受けて作動するようにしてもよい。
【００４３】  これらのことから、載置台１は、受信機１３が災害情報センター等から配信された緊急地震速報情報或は緊急警報情報等を受信すると、これらの情報を受信したことを示す受信信号を制御装置１５へ送出し、さらに制御装置１５から可動板１１へ可動制御信号を送出して可動板１１を可動して、地震等の災害の発生前に、可動板１１の上部に載置された装飾品等を収納箱１２に収納して、該装飾品等を保護することができる。
【００４４】  また、載置台１を覆う透明ガラス製等のカバー等の衝撃又は破損、あるいは載置台１に接近する人体等を検知すると、これらを検知したことを示す検知信号を制御装置１５へ送出し、さらに制御装置１５から警報器１６へ警報信号を送出して警報器１６において警報を発するとともに、制御装置１５から可動板１１へ可動制御信号を送出して可動板１１を可動して、可動板１１の上部に載置された装飾品等を盗難等に会う前に収納箱１２に収納して、該装飾品等を保護することができる。
【００４５】  また、受信機１３が災害情報センター等から配信された緊急地震速報情報或は緊急警報情報等を受信すると、これらの情報を受信したことを示す受信信号を制御装置１５へ送出し、または載置台１を覆う透明ガラス製等のカバー等の衝撃又は破損、あるいは載置台１に接近する人体等を検知すると、これらを検知したことを示す検知信号を制御装置１５へ送出し、さらに制御装置１５から警報器１６へ警報信号を送出して警報器１６において警報を発するとともに、制御装置１５から可動板１１へ可動制御信号を送出して可動板１１を可動して、可動板１１の上部に載置された装飾品等を地震等の災害の発生前に、または盗難等に会う前に収納箱１２に収納して、該装飾品等を保護することができる。
【００４６】  また、収納箱１２は、可動板１１の可動により可動板１１の上部に載置された装飾品等が収納されると、その全体が塞がれるとともに、収納箱１２に備えられたロック装置を作動して、収納箱１２をロックするようにすることで、収納箱１２に収納された装飾品等をより強固に保護することができる。なお、収納箱１２のロックは、管理人等以外の者が容易に開錠不能なものであれば機械式錠、電気錠、電子錠等、特に限定しない。
【００４７】  なお、載置台１を複数配設するような場合、受信機１３、それに前記人体を検知する目的で使用される検知器１４、さらには警報器１６等を複数の載置台１に共用することができる。
【００４８】  次に図２において、載置壁２は、可動板２１、収納箱２２、受信機２３、検知器２４、制御装置２５、それに警報器２６等で構成されている。
【００４９】  可動板２１は、絵画や書等を載置する壁面で、制御装置２５による制御を受けて作動し可動するようになっている。
【００５０】  収納箱２２は、可動板２１の内側に配設されていて、可動板２１の可動によってその前面に吊るされあるいは貼り付けられるなどして載置された装飾品等を収納するものである。
なお、収納箱２２は、強固であるとともに耐震性或は免震性、耐火性、さらには耐水性等が十分であることが望ましい。
【００５１】  なお、可動板２１を可動してする可動板２１の前面に載置された絵画或は書等の収納箱２２への収納は、可動板２１を素早く収納箱２２の中へスライドさせて可動板２１とともに前記絵画或は書等を収納箱２２に収納し、あるいは可動板２１を素早く回転させて前記絵画或は書等を収納箱２２に収納して、さらに収納箱２２の前面を強固な板状のもので塞ぐようにしすなどでもよく、可動板２１を可動して収納箱１２の中へする前記絵画或は書等の収納の方法等をとくに限定しない。
【００５２】  受信機２３は、災害情報センター等から配信された緊急地震速報情報或は洪水や火災発生等の緊急警報情報等を受信して、これらの情報を受信したことを示す受信信号を制御装置２５へ送出する。
なお、受信機２３は、放送局から配信された緊急地震速情報を受信するラジオ受信機あるいは火災警報器等であってもよく、さらには例えば展示ビル等を監視し管理する展示ビル等管理室あるいは載置壁２が配設された部屋の天井又は出入口等のように載置壁２から離れた位置に配設し、そこから前記受信信号を制御装置２５へ伝送するようにしてもよい。
【００５３】  検知器２４は、可動板２１に載置された絵画或は書等の傾斜或は振動又は衝撃、あるいは可動板２１の衝撃、あるいは可動板２１、つまり載置壁２に接近する人体等を検知して、これらを検知したことを示す検知信号を制御装置２５へ送出する。
なお、検知器２４は、夜間にのみ作動するようにし、さらには前記人体の検知を検知器２４とは分離して、これを例えば載置壁２が配設された部屋の天井又は出入口等のように載置壁２から離れた位置に配設し、そこから前記検知信号を制御装置２５へ伝送するようにしてもよい。
【００５４】  制御装置２５は、受信機２３からの前記受信信号又は検知器２４からの前記検知信号を受けたとき、警報器２６へ警報器２６において警報を発するための警報信号を送出するとともに、可動板２１へ可動板２１を可動するための可動制御信号を送出する。
【００５５】  警報器２６は、制御装置２５からの警報信号を受けて作動して、警報を発する。
なお、該警報の発生は、ブザーを用いたブザー音の他に、各種の電子音あるいは音声などであってもよく、特に限定しない。また、警報器２６は受信機２３及び検知器２４など同様に、載置壁２から離れた位置に配設して、制御装置２５からの警報信号を受けて作動するようにしてもよい。
【００５６】  これらのことから、載置壁２は、受信機２３が災害情報センター等から配信された緊急地震速報情報或は緊急警報情報等を受信すると、これらの情報を受信したことを示す受信信号を制御装置２５へ送出し、さらに制御装置２５から可動板２１へ可動制御信号を送出して可動板２１を可動して、地震等の災害の発生前に、可動板２１の前面に載置された絵画或は書等を収納箱２２に収納して、該絵画或は書等を保護することができる。
【００５７】  また、可動板２１に載置された絵画或は書等の傾斜或は振動又は衝撃、あるいは可動板２１の衝撃、あるいは可動板２１、つまり載置壁２に接近する人体等を検知すると、これらを検知したことを示す検知信号を制御装置２５へ送出し、さらに制御装置２５から警報器２６へ警報信号を送出して警報器２６において警報を発するとともに、制御装置２５から可動板２１へ可動制御信号を送出して可動板２１を可動して、可動板２１の前面に載置された絵画或は書等を盗難等に会う前に収納箱２２に収納して、該絵画或は書等を保護することができる。
【００５８】  また、受信機２３が災害情報センター等から配信された緊急地震速報情報或は緊急警報情報等を受信すると、これらの情報を受信したことを示す受信信号を制御装置２５へ送出し、また、可動板２１に載置された絵画或は書等の傾斜或は振動又は衝撃、あるいは可動板２１の衝撃、あるいは可動板２１、つまり載置壁２に接近する人体等を検知すると、これらを検知したことを示す検知信号を制御装置２５へ送出し、さらに制御装置２５から警報器２６へ警報信号を送出して警報器２６において警報を発するとともに、制御装置２５から可動板２１へ可動制御信号を送出して可動板２１を可動して、可動板２１の前面に載置された絵画或は書等を地震等の災害の発生前に、または盗難等に会う前に収納箱２２に収納して、該絵画或は書等を保護することができる。
【００５９】  また、収納箱２２は、可動板２１の可動により可動板２１の前面」に載置された絵画或は書等が収納されると、その全体が塞がれるとともに、収納箱２２に備えられたロック装置を作動して、収納箱２２をロックするようにすることで、収納箱２２に収納された絵画或は書等をより強固に保護することができる。なお、収納箱２２のロックは、管理人等以外の者が容易に開錠不能なものであれば機械式錠、電気錠、電子錠等、特に限定しない。
【００６０】  なお、載置壁２を複数配設するような場合、受信機２３、それに前記人体を検知する目的で使用される検知器２４、さらには警報器２６等を複数の載置壁２に共用することができる。
【符号の説明】
【００６１】１  載置台
２  載置壁
１１，２１  可動板
１２，２２  収納箱
１３，２３  受信機
１４，２４  検知器
１５，２５  制御装置
１６，２６  警報器
【図１】
2011110395.tif 000003
【図２】
2011110395.tif 000004